(57)【特許請求の範囲】
【請求項１】
モータ、モータ制御装置及びコンバータを有するモータ側装置と、電波信号を送信及び受信する送信機及び受信機を有するリモコンとを備えた電動カーテンのモータ操作無線式リモコンシステムであって、
前記モータは、電動カーテンの開閉動作の駆動源となるものであり、
前記モータ制御装置は、前記受信機から送信されるモータ動作制御信号に基づいてモータの動作を制御するものであり、
前記コンバータは、商用電源の交流を直流に変換し、前記モータ及びモータ制御装置に直流電力を供給するとともに、モータ側装置に設けられた電源出力端子に接続されており、
前記リモコンは、電動カーテンの操作のための電波信号を送信機で送信し、該電波信号を受信機で受信してデジタル信号に無線周波数集積回路で変換し、該デジタル信号に基づいて前記モータ動作制御信号を生成する無線式リモコンであり、
前記受信機には、前記電源出力端子に接続可能な電源入力端子が設けられているとともに、モータ動作制御信号を出力するモータ動作制御信号出力端子が設けられており、
前記モータ側装置には、モータ動作制御信号出力端子に接続され、モータ動作制御信号を入力するモータ動作制御信号入力端子が設けられていることを特徴とする電動カーテンのモータ操作無線式リモコンシステム。
【請求項２】
前記リモコンとして、無線式リモコンに替えて赤外線リモコンをモータ側装置に接続して使用することが可能であり、
前記赤外線リモコンは、送信機から電動カーテンの操作のための赤外線による信号を送信し、該信号を受信機で受信して前記モータ動作制御信号を生成するリモコンであることを特徴とする請求項１記載の電動カーテンのモータ操作無線式リモコンシステム。
【発明の詳細な説明】
【技術分野】
【０００１】
本発明は、電動カーテンのモータを操作するリモコンシステムに関し、特に、電動カーテンのモータ操作無線式リモコンシステムに関する。本明細書及び本発明における「電動カーテン」は、電動モータで開閉動作をするカーテンであるが、電動モータで開閉動作をするブラインド、スクリーン、シャッター等も含まれるものとする。
【背景技術】
【０００２】
近年、カーテンがモータによって自動的に開閉可能とする電動カーテンが普及されている。例えば、カーテンレールの両側に設けられたプーリをモータで駆動し、プーリに巻回されたワイヤでカーテンに取り付けたランナを、カーテンレール上で走行させて開閉を行うもの等が知られている（特許文献１参照）。
【０００３】
このような電動カーテンのモータの動作を制御してカーテンの開閉操作をする手段として通常、リモコンが利用されている。
【０００４】
ところで、一般に機器の遠隔操作のためのリモコンとしては、赤外線を利用したもの（赤外線リモコン）が多用されているが、その他、電波を利用したもの（無線式リモコン）、超音波を利用したもの（超音波リモコン）、電磁波を利用したもの（電磁波リモコン）等が知られている。
【０００５】
電動カーテンを開閉操作するリモコンとしては、赤外線リモコンが比較的多用されており（特許文献２参照）、また、電波を利用したものも利用されている（特許文献３参照）。
【０００６】
従来の電動カーテンのモータでは、商用電源（交流電源）をコンバータ（交流を直流に変換する直流変換装置）で直流電源として利用しているが、赤外線リモコンでは、この直流電源を用い、モータ側に、赤外線信号入力端子とともに電源出力端子を設け、赤外線リモコンの受信機はこの電源出力端子を利用して直流電源によって回路の動作を行わせていた。
【０００７】
一方、従来の無線式リモコンでは、その受信機の電源としてモータとは別の商用電源を利用し、受信機内にコンバータを設けて直流電源として、この直流電源によって回路の動作をさせていた。また、従来の無線式リモコンでは、受信機で受信した信号は、リレーで無電圧接点出力、或いはトランジスタのオープンコレクタ出力等に変換して、モータの駆動制御信号として出力していた。
【先行技術文献】
【特許文献】
【０００８】
【特許文献１】特開２００６−３１４３８９号公報
【特許文献２】特開２００１−０５６３８７号公報
【特許文献３】特開２００４−０１９２４５号公報
【発明の概要】
【発明が解決しようとする課題】
【０００９】
赤外線リモコンは、モータ用の商用電源をモータ側においてコンバータで直流に変換し、その直流電源を利用するので、受信機側でコンバータ等の特別な電源回路等が不要であり、送信機から放射される赤外線を赤外線受光器で受光する際に電気信号に変換するので、電波式リモコンの受信機のようにリレーで無電圧接点出力、或いはトランジスタのオープンコレクタ出力等に変換する必要がない。
【００１０】
そのため、赤外線リモコンは、比較的安価に製作でき、コストも抑えることができるという利点がある反面、指向性が出やすく、受信機の受光部を露出させないと受信できない。しかし、受光部を露出すると、この受光部がカメラ（隠しカメラ）に間違われ、居住者、来訪者等に不快感を与えるという問題がある。
【００１１】
一方、電波式リモコンは、指向性が出にくく、受信機のアンテナを露出させなくても電波の回り込みにより受信が可能であるから、アンテナを露出する必要がなく、見えないように設置できるという利点がある。
【００１２】
しかしその反面、リレーで無電圧接点出力、或いはトランジスタのオープンコレクタ出力等に変換する回路が必要であり、しかも電源としてモータ用の商用電源とは別の商用電源を利用し、受信機内にコンバータ等の電源回路等が必要となる。そのために、構成が複雑で、コストも高くなるという問題がある。
【００１３】
本発明は、上記従来の赤外線リモコン及び電波式リモコンの有する問題を解決することを目的とし、コンバータ等の電源回路を無線式リモコンの受信機内に設けない構成とするとともに、受信機の受信回路もリレー等を設けない構成として、製造コストを低減化し、しかも赤外線リモコンの受光部のように露出して設置する必要がなく、送信機からの信号を受信できる、電動カーテンのモータ操作リモコンを実現することを課題とする。
【課題を解決するための手段】
【００１４】
本発明は上記課題を解決するために、モータ、モータ制御装置及びコンバータを有するモータ側装置と、送信機及び受信機を有するリモコンとを備えた電動カーテンのモータ操作無線式リモコンシステムであって、前記モータは、電動カーテンの開閉動作の駆動源となるものであり、前記モータ制御装置は、前記受信機から送信されるモータ動作制御信号に基づいてモータの動作を制御するものであり、前記コンバータは、商用電源の交流を直流に変換し、前記モータ及びモータ制御装置に直流電力を供給するとともに、モータ側装置に設けられた電源出力端子に接続されており、前記リモコンは、電動カーテンの操作のための電波信号を送信機で送信し、該電波信号を受信機で受信して前記モータ動作制御信号を生成する無線式リモコンであり、前記受信機には、前記電源出力端子に接続可能な電源入力端子が設けられていることを特徴とする電動カーテンのモータ操作無線式リモコンシステムを提供する。
【００１５】
前記受信機には、モータ動作制御信号を出力するモータ動作制御信号出力端子が設けられており、前記モータ側装置には、モータ動作制御信号出力端子に接続され、モータ動作制御信号を入力するモータ動作制御信号入力端子が設けられていることが好ましい。
【００１６】
本発明は上記課題を解決するために、モータ、モータ制御装置及びコンバータを有するモータ側装置と、送信機及び受信機を有するリモコンとを備えており、前記モータは、電動カーテンの開閉動作の駆動源となるものであり、前記モータ制御装置は、モータ側装置に設けられたモータ動作制御信号入力端子を介して前記受信機から送信されるモータ動作制御信号に基づいてモータの動作を制御するものであり、前記コンバータは、商用電源の交流を直流に変換し、前記モータ及びモータ制御装置に直流電力を供給するとともに、モータ側装置に設けられた電源出力端子に接続されており、前記リモコンは、電動カーテンの操作のための電波信号を送信機で送信し、該電波信号を受信機で受信して前記モータ動作制御信号を生成する無線式リモコンであり、前記受信機には、前記モータ動作制御信号入力端子に接続可能な動作制御信号出力端子が設けられているとともに、前記電源出力端子に接続可能な電源入力端子が設けられていることを特徴とする電動カーテンのモータ操作無線式リモコンシステムを提供する。
【００１７】
前記リモコンとして、無線式リモコンに替えて赤外線リモコンをモータ側装置に接続して使用することが可能であり、前記赤外線リモコンは、送信機から電動カーテンの操作のための赤外線による信号を送信し、該信号を受信機で受信して前記モータ動作制御信号を生成するリモコンである構成としてもよい。
【発明の効果】
【００１８】
本発明に係る電動カーテンのモータ操作無線式リモコンによれば、次のような効果を奏する。
（１）無線式リモコンの電源として、赤外線リモコン用の直流電源を利用できる構成としたので、コンバータ等を無線式リモコンの受信機内に設ける必要ないので、構成が簡単となるから、比較的、低コストで製作可能となる。
（２）赤外線リモコンの受光部のように露出して設置する必要がないので、利用者に不快感を与えない。
【図面の簡単な説明】
【００１９】
【図１】本発明に係る電動カーテンのモータ操作無線式リモコンシステムの実施例の全体構成を説明する図である。
【図２】本発明の実施例の無線式リモコンの送信機を説明する図である。
【図３】本発明の実施例の無線式リモコンの受信機を説明する図である。
【図４】従来例を説明する図である。
【発明を実施するための形態】
【００２０】
本発明に係る電動カーテンのモータ操作無線式リモコンシステムを実施するための形態を実施例に基づき図面を参照して、以下説明する。
【実施例１】
【００２１】
本発明に係る電動カーテンのモータ操作無線式リモコンシステムの実施例を図１〜３において説明する。
【００２２】
図１は、この実施例の電動カーテンのモータ操作無線式リモコンシステム１の全体構成を説明する図である。この電動カーテンのモータ操作無線式リモコンシステム１は、大きくは、モータ側装置２と無線式リモコン３とから構成される。
【００２３】
モータ側装置２は、モータ４と、モータ制御装置５と、コンバータ（直流変換装置）６とを備えており、これらの機器が、電動カーテンのヘッドフレーム等に設置した取付用フレームに取り付けられている。ここで、取付用フレームについては、特に図示はしないが、例えば、枠、枠板、ケース、ボックス等である。
【００２４】
モータ４は、電動カーテンの開閉駆動を行う駆動源として機能する。本発明の電動カーテンのモータ操作無線式リモコンシステム１が適用される電動式のカーテンにおいて、カーテン、ブラインド、スクリーン、シャッター等をモータによって開閉駆動するモータ駆動開閉機構は、特に本発明の要旨とする構成ではなく、周知技術（例．特許文献１、３等参照）であるから、ここでは説明はしない。
【００２５】
モータ制御装置５は、無線式リモコン３からのモータ動作制御信号を受けて、モータの正回転、逆回転、停止等の動作を制御するものである。このモータ制御装置５は、モータの動作を制御する周知のモータ制御装置を利用すればよい。
【００２６】
モータ制御装置５には、無線式リモコン３からモータ動作制御信号が入力されるが、この信号を入力する入力端子（モータ動作制御信号入力端子）７は、取付用フレームに設けられている。
【００２７】
コンバータ６は、商用電源（交流電源：例．ＡＣ１００Ｖ）９から供給される交流を直流に変換し、モータ４及びモータ制御装置５に直流電力を供給するもので、いわば直流電源として機能する。
【００２８】
無線式リモコン３に直流電力を供給するための電源出力端子８が、モータ動作制御信号入力端子７の近傍に設けられている。要するに、モータ動作制御信号入力端子７と電源出力端子８が組み合わされて、取付フレームに設けられている。
【００２９】
以上説明したモータ側装置２に対して、従来は、図４に示すように、赤外線リモコン１０が組み合わされて、電動カーテンのモータ操作赤外線リモコンシステム１１が構成されている。赤外線リモコン１０は、赤外線受信機１２と赤外線送信機１３を備えている。
【００３０】
赤外線受信機１２は、赤外線送信機１３から送信される電動カーテンの操作のための赤外線信号を受信して、モータ動作制御信号を生成する。そして、このモータ動作制御信号を、モータ動作制御信号出力端子１５からモータ動作制御信号入力端子７を介してモータ制御装置５に送る。また、赤外線受信機１２は、電源出力端子８から直流電力を供給され、この直流電力を赤外線受信機１２の受信回路１４に供給している。
【００３１】
従来は、上記のとおりモータ４、モータ制御装置５及びコンバータ６を備えたモータ側装置２と組み合わせて使用するリモコンは、赤外線リモコン１０であることが当然である、と当業者において考えられていた。そして、上記構成のモータ側装置２と組み合わせるリモコンは、赤外線リモコン１０以外は想到されておらず、また赤外線リモコン１０を他の種類のリモコンで置き換えるという発想はなかった。
【００３２】
しかしながら、本発明では、赤外線リモコン１０ではなく、モータ４、モータ制御装置５及びコンバータ６を備えたモータ側装置２に対して、図１に示すように、無線式リモコン３を組み合わせた構成を特徴としている。
【００３３】
図１において、本発明では、無線式リモコン３は、電波の送受信をする無線式の送信機２１と受信機２２を有する。そして、無線式の受信機２２は、電源出力端子８から直流電力を供給されて、この直流電力を受信機２２の受信回路４３に供給する構成となっている。
【００３４】
図２は、送信機２１及び送信回路２３の構成を示すブロック図である。送信機２１は、図２に示すように接続された操作スイッチ２４、マイコン２５、発振器２６、ＲＦＩＣ（無線周波数集積回路）２７、バンドフィルタ２８、送信用アンテナ２９及びＬＥＤ表示器３０等の部品を有する送信回路２３を備えているとともに、この送信回路２３に電力を供給する電源（直流電源：電池等）３１を備えている。
【００３５】
操作スイッチ２４は、利用者が操作ボタンを操作して、例えば、カーテンの開、閉、停止等の操作信号を生成し、この操作信号をマイコン２５に送るものである。
【００３６】
マイコン２５は、入力部３２、ＣＰＵ３３、メモリ３４及び出力部３５を備えている。そして、このマイコン２５は、入力部３２で操作スイッチ２４からの操作信号を受け、メモリ３４に搭載されたリモコン用動作プログラムによりＣＰＵ３３が動作し、上記操作信号に応じて、ＲＦＩＣ２７の動作を制御する信号を生成し、この信号を出力部３２からＲＦＩＣ２７に送る。
【００３７】
発振器２６は、水晶（クウォーツ）振動子を有し、無線電波用高周波信号の素となる高周波を生成し、その高周波をＲＦＩＣ２７に入力する。ＲＦＩＣ２７は、マイコン２５から送られてくる信号に応答し、発振器２６から入力された高周波を変調及び増幅し、無線電波用高周波信号を生成する。
【００３８】
バンドフィルタ２８は、無線電波用高周波信号のノイズを除去するものである。送信用アンテナ２９は、ノイズが除去された無線電波用高周波信号のエネルギーを電波信号に変えて大気に放射（送信）する。                             
【００３９】
ＬＥＤ表示器３０は、マイコン２５に接続されている。操作ボタンにより操作信号がマイコン２５に入力されると、その操作信号に応答してマイコン２５で生成した表示信号が、ＬＥＤ表示器３０に送られ、ＬＥＤ表示器３０はその操作状態を表示する。
【００４０】
図３は、受信機２２及び受信回路４３の構成を示すブロック図である。受信機２２は、図３に示すように接続されたマイコン４５、ＲＦＩＣ（無線周波数集積回路）４７、バンドフィルタ４８、受信用アンテナ４９及びＬＥＤ表示器５０等の部品から成る受信回路４３を備えている。
【００４１】
さらに、受信機２２は、モータ動作制御信号を出力するモータ動作制御信号出力端子４６と、受信回路４３に電力を供給する電源入力端子５１を備えている。電源入力端子５１は、モータ側装置２の電源出力端子８に接続され、コンバータ６から直流電力を受けて、レギュレータ（定電源回路）４４を介して、受信回路４３に直流電力を供給する。
【００４２】
受信用アンテナ４９は、送信機２１から送信されてくる電波信号を受信し、操作用高周波信号に変換する。バンドフィルタ４８は、この操作用高周波信号からノイズを除去する。ＲＦＩＣ４７はノイズの除去された操作用高周波信号をデジタル信号に変換してマイコン４５に送る。
【００４３】
マイコン４５は、入力部５２、ＣＰＵ５３、メモリ５４及び出力部５５を備えている。そして、このマイコン４５は、入力部５２でＲＦＩＣ４７からのデジタル信号を受け、メモリ５４に搭載されたリモコン用動作プログラムによりＣＰＵ５３が動作し、上記デジタル信号に応じてモータ動作制御信号と電動カーテンの動作を示す表示信号を生成する。
【００４４】
そして、マイコン４５は、生成したモータ動作制御信号を、その出力部５５からモータ動作制御信号出力端子４６に送る。モータ動作制御信号出力端子４６は、モータ側装置２のモータ動作制御信号入力端子７に接続されており、モータ動作制御信号をモータ制御装置５に送る。
【００４５】
また、マイコン４５は、その出力部５５がＬＥＤ表示器５０に接続されており、上記表示信号をＬＥＤ表示器５０に送り、ＬＥＤ表示器５０で電動カーテンの動作状況の表示を行う。
【００４６】
図４に示すように、従来は、モータ側装置２のモータ動作制御信号入力端子７及び電源出力端子８に、赤外線リモコン１０の赤外線受信機１２のモータ動作制御信号出力端子１５及び電源入力端子１６を接続して使用していた。        
【００４７】
本発明に係る電動カーテンのモータ操作無線式リモコン３システム１の使用に際しては、図１に示すように、従来のモータ側装置２をそのまま利用し、そのモータ動作制御信号入力端子７及び電源出力端子８に、無線式リモコンの受信機２２のモータ動作制御信号出力端子４６及び電源入力端子５１を接続して使用する。
【００４８】
従って、本発明に係る電動カーテンのモータ操作無線式リモコンシステム１では、従来の無線方式リモコンのように、無線式の受信機にコンバータを設けてこれをモータの電源とは別の交流電源に接続するような構成とすることがないので、無線式の受信機２２の構成を簡単にすることが可能となる。
【００４９】
本発明に係る電動カーテンのモータ操作無線式リモコンシステム１では、受信機２２で受信した操作用高周波信号をＲＦＩＣ４７でデジタル信号に変換し、この信号に基づいてマイコンがモータ動作制御信号生成する構成としたので、受信回路が簡単な構成となり、リレー等の回路が不要となる。
【００５０】
以上、本発明に係る電動カーテンのモータ操作無線式リモコンシステムを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５１】
以上の構成から成る本発明に係る電動カーテンのモータ操作無線式リモコンシステムは、電動カーテンだけでなく、電動モータで開閉動作をするブラインド、スクリーン、シャッターにも適用可能である。
【符号の説明】
【００５２】
１  電動カーテンのモータ操作無線式リモコンシステム       
２  モータ側装置                                     
３  無線式リモコン                                     
４  モータ                                           
５  モータ制御装置                                   
６  コンバータ（直流変換装置）                        
７  モータ動作制御信号入力端子                        
８  電源出力端子
９  商用電源（交流電源：例．ＡＣ１００Ｖ）
１０  赤外線リモコン                                                    
１１  電動カーテンのモータ操作赤外線リモコンシステム                    
１２  赤外線受信機                                                    
１３  赤外線送信機
１４  赤外線受信機の受信回路
１５  モータ動作制御信号出力端子
１６  電源入力端子
２１  無線式リモコンの送信機                                                  
２２  無線式リモコンの受信機
２３  送信回路
２４  操作スイッチ                                         
２５  マイコン                                                        
２６  発振器                                                          
２７  ＲＦＩＣ（無線周波数集積回路）                                   
２８  バンドフィルタ                                                    
２９  送信用アンテナ                                                    
３０  ＬＥＤ表示器                                                    
３１  電源（直流電源：電池等）                                         
３２  入力部                                                          
３３  ＣＰＵ                                                          
３４  メモリ                                                          
３５  出力部                                                          
４３  受信回路                                                        
４４  レギュレータ（定電源回路）                                       
４５  マイコン                                                        
４６  モータ動作制御信号出力端子                                       
４７  ＲＦＩＣ（無線周波数集積回路）                                   
４８  バンドフィルタ                                                    
４９  受信用アンテナ                                                    
５０  ＬＥＤ表示器                                                    
５１  電源入力端子                                                    
５２  入力部                                                          
５３  ＣＰＵ                                                          
５４  メモリ                                                          
５５  出力部                                                          
【図１】
0005706114.tif 000002
【図２】
0005706114.tif 000003
【図３】
0005706114.tif 000004
【図４】
0005706114.tif 000005